(57)【要約】【課題】  本体ケースの美観を損なうことなく、天板部材、前板部材、および、固定部材を固定させることが可能な技術を提供する。【解決手段】  天板部材、前板部材、及び、少なくとも側面部と背面部を有する固定部材を備える本体ケースの固定構造であって、天板部材、前板部材、及び、固定部材は、それぞれ、互いに異なる係合部を有しており、天板部材の係合部と、前板部材の係合部と、連結部材の係合部を係合することで、天板部材、前板部材、及び、固定部材を連結し、天板部材、及び前板部材のいずれか一方と、連結部材を締結することで、天板部材、前板部材、及び、固定部材が固定される。【選択図】  図５
2018080906.tif 000002
【特許請求の範囲】
【請求項１】
天板部材、前板部材、及び、少なくとも側面部と背面部を有する固定部材を備える本体ケースの固定構造であって、
前記天板部材、前記前板部材、及び、前記固定部材は、それぞれ、互いに異なる係合部を有しており、
前記天板部材の係合部と、前記前板部材の係合部と、前記固定部材の係合部を係合することで、前記天板部材、前記前板部材、及び、前記固定部材を連結し、
前記天板部材、及び前記前板部材のいずれか一方と、前記固定部材を締結することで、前記天板部材、前記前板部材、及び、前記固定部材が固定される、
本体ケースの固定構造。
【請求項２】
前記固定部材は、底板部を有している、請求項１に記載の本体ケースの固定構造。
【請求項３】
前記固定部材は、前記側面部において、第１嵌合部を有しており、
前記天板部材は、前記第１嵌合部と嵌合可能な第２嵌合部を有しており、
前記天板部材と前記固定部材が連結されている状態において、前記第１嵌合部と前記第２嵌合部が嵌合している、請求項１又は２に記載の本体ケースの固定構造。
【発明の詳細な説明】
【技術分野】
【０００１】
本明細書で開示する技術は、本体ケースの固定構造に関する。
【背景技術】
【０００２】
特許文献１には、天板部材、前板部材、及び、側面部と背面部を有している固定部材と、を備える本体ケースが開示されている。特許文献１の本体ケースでは、固定部材に取っ手部材が取付けられる。そして、取っ手部材、天板部材、及び、前板部材を、ネジ部材によって締結している。これにより、天板部材、前板部材、及び、固定部材を固定している。
【先行技術文献】
【特許文献】
【０００３】
【特許文献１】特開２００６−３８２６８号公報
【発明の概要】
【発明が解決しようとする課題】
【０００４】
本体ケースにおいて、固定部材の側面部に取っ手部材が取付けられない場合がある。このような場合において、天板部材、前板部材、及び、固定部材を固定する方法としては、前板部材の上部、または、固定部材の側面部の上部において、締結部材を利用して、天板部材、前板部材、及び、固定部材を固定する方法がある。しかしながら、前板部材の上部、または、固定部材の側面部の上部は、比較的にユーザから見えやすい部分である。このため、前板部材の上部、または、固定部材の側面部の上部に締結部材が設けられる場合、本体ケースの美観を損なう。従って、固定部材の側面部に取っ手部材が取付けられない場合に、本体ケースの美観を損なうことがない本体ケースの固定構造が望まれる。
【０００５】
本明細書では、本体ケースの美観を損なうことなく、天板部材、前板部材、および、固定部材を固定させることが可能な技術を提供する。
【課題を解決するための手段】
【０００６】
本明細書が開示する本体ケースは、天板部材、前板部材、及び、少なくとも側面部と背面部を有する固定部材を備える。前記天板部材、前記前板部材、及び、前記固定部材は、それぞれ、互いに異なる係合部を有しており、前記天板部材の係合部と、前記前板部材の係合部と、前記固定部材の係合部を係合することで、前記天板部材、前記前板部材、及び、前記固定部材を連結し、前記天板部材、及び前記前板部材のいずれか一方と、前記固定部材を締結することで、前記天板部材、前記前板部材、及び、前記固定部材が固定される。
【０００７】
ここで、上記の「固定部材」には、締結などによって固定部材に予め固定されている部材も含まれる。
【０００８】
上記の構成によると、天板部材、前板部材、及び、固定部材を連結し、天板部材、及び前板部材のいずれか一方と、固定部材を締結することで、天板部材、前板部材、及び、固定部材を固定することができる。この場合、前板部材の上部、固定部材の側面部の上部の締結部材を低減することができる。従って、本体ケースの美観を損なうことなく、天板部材、前板部材、及び、固定部材を固定することができる。
【図面の簡単な説明】
【０００９】
【図１】実施例１の温風暖房機２を左上前方から見た斜視図である。
【図２】実施例１の前板を左上前方から見た斜視図である。
【図３】実施例１の側板及び背面板を左上前方から見た斜視図である。
【図４】実施例１の天板を右上前方から見た斜視図である。
【図５】実施例１の係合部の係合工程を示す図である。
【図６】図５（ａ）の状態の前板、側板を前側から見た図である。
【図７】実施例２の前板、天板、連結板の模式図である。
【図８】実施例２の本体ケースの取付工程を示す図である。
【図９】実施例３の前板、天板、連結板の模式図である。
【図１０】実施例３の本体ケースの取付工程を示す図である。
【図１１】実施例４の天板及び連結板が連結されている状態を、左下前方から見た斜視図である。
【図１２】実施例４の連結板を左下前方から見た斜視図である。
【図１３】実施例４の天板を左下前方から見た斜視図である。
【図１４】図１３の破線領域XIVの拡大図である。
【図１５】図１１の破線領域XVの拡大図である。
【図１６】図１５の破線XVIの断面図である。
【図１７】実施例４の温風暖房機において、前板が取り外されている状態の温風暖房機を左下前方から見た斜視図である。
【図１８】実施例４の水受け部を右上前方から見た斜視図である。
【図１９】実施例４の水受け部を左上前方から見た斜視図である。
【発明を実施するための形態】
【００１０】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１１】
幾つかの実施形態に係る本体ケースの固定構造において、固定部材は、底板部を有していてもよい。
【００１２】
本体ケースが、固定部材とは別体の底板部材を備えている場合、固定部材を底板部材に締結させる必要がある。上記の構成によると、本体ケースの固定に使用される締結部材の数を低減することができる。
【００１３】
幾つかの実施形態に係る本体ケースの固定構造において、固定部材は、側面部において、第１嵌合部を有しており、天板部材は、第１嵌合部と嵌合可能な第２嵌合部を有しており、天板部材と固定部材が連結されている状態において、第１嵌合部と第２嵌合部が嵌合していてもよい。
【００１４】
上記の構成によると、天板部材と固定部材が連結されている状態において、第１嵌合部と第２嵌合部が嵌合している。従って、天板部材に対する固定部材の移動が抑制される。
【実施例】
【００１５】
（実施例１）
以下では、図１〜図３を参照しながら、実施例１の温風暖房機２について説明する。
【００１６】
図１に示すように、温風暖房機２は、天板１２と、前板１４と、背面板１６と、左右の側板１８と、底板２２と、で構成される本体ケース１０を備えている。背面板１６と左右の側板１８は、一体的に成形されている。前板１４の下部には、温風暖房機２によって暖められた空気を吹き出す吹出口１４ａが設けられている。また、背面板１６の上部には、室内の空気を取り入れる取入口（図示省略）が設けられている。本体ケース１０には、燃焼ケース（図示省略）が収容されており、燃焼ケースには、送風ファン（図示省略）とバーナ（図示省略）が収容されている。温風暖房機２は、送風ファンを動作させることで、取入口から取り込み、取り込んだ空気をバーナによって暖めて、暖めた空気を吹出口１４ａから吹き出す。
【００１７】
次いで、図２を参照して、前板１４について説明する。図２に示すように、前板１４には、フランジ部３０、３２が設けられている。フランジ部３０は、前板１４の左右の両端から後方に向かって延びるとともに、本体ケース１０の内側に向かって延びる。フランジ部３０の下部には、後方に向かって延びる爪部３４が設けられている。また、フランジ部３０の上部には、係合部４２が設けられている。係合部４２は、本体ケース１０の内側に延びる延伸部３８と、延伸部３８の側端から後方に向かって延びる突出部４０と、で構成されている。突出部４０は、その後方側において、下方に延びるフック部４０ａを有している。また、前板１４の下部に設けられている開口部には、吹出口１４ａが嵌め込まれている。吹出口１４ａには、４個のネジ穴４４が設けられている。ネジ穴４４は、本体ケース１０内に収容され、底板２２に固定される燃焼ケースに、吹出口１４ａをネジ止めするために設けられている。吹出口１４ａを、燃焼ケースにネジ止めすることで、前板１４が、吹出口１４ａを介して燃焼ケースに対して固定される。
【００１８】
次いで、図３を参照して、背面板１６と左右の側板１８について説明する。左右の側板１８は、背面板１６の左右の両端に連結されている。以下では、背面板１６と左右の側板１８を総称して、「連結板」と呼ぶ。背面板１６には、背面板１６の下端から本体ケース１０の内側に向かって延びるフランジ部５４が設けられている。フランジ部５４には、複数のネジ穴が設けられている。側板１８には、側板１８の下端から本体ケース１０の内側に向かって延びるフランジ部５２と、側板１８の前端から本体ケース１０の内側に向かって延びるフランジ部５６と、が設けられている。フランジ部５２には、複数のネジ穴が設けられている。フランジ部５６の下部には、前板１４の爪部３４（図２参照）を挿入可能な挿入孔５８が設けられている。フランジ部５６の上部には、係合部６０が設けられている。係合部６０には、Ｖ字状の開口部６０ａが設けられている。係合部６０は、フランジ部５６よりも後方側に設けられている。このため、側板１８に前板１４を取り付けた場合、フランジ部５６は前板１４のフランジ部３０に接触し、係合部６０はフランジ部３０に接触しない。
【００１９】
次いで、図４を参照して、天板１２について説明する。なお、図４（ａ）は、天板１２の斜視図であり、図４（ｂ）は、図４（ａ）の破線部を前側から見た図である。図４（ａ）に示すように、天板１２の前側には、複数の突出部７０が設けられている。突出部７０は、天板１２の下面から下方に延びるとともに、前方に延びている。前板１４を天板１２に取付けた場合、天板１２の下面と突出部７０の隙間には、前板１４のフランジ部３２が挿入される。天板１２の前側であって、複数の突出部７０の外側には、係合部７２が設けられている。係合部７２は、天板１２の下端から下方に向かって延びている。係合部７２には、開口部７２ａと、支持部７２ｂと、が設けられている。支持部７２ｂは、係合部７２から前方に向かって延びている。図４（ｂ）に示すように、開口部７２ａは、天板１２の下端から開口部７２ａの下端までの長さが、長さＬ１の領域と長さＬ２の領域で構成されている。長さＬ１は、前板１４のフック部４０ａ（図３参照）の上下方向の長さよりも短く、長さＬ２は、フック部４０ａの上下方向の長さよりもわずかに長い。このため、フック部４０ａは、開口部７２ａの長さＬ２の領域を通過することができる。
【００２０】
（本体ケースの固定方法）
次いで、図５、図６を参照して、本体ケース１０の組立方法について説明する。なお、図５、図６は、実施例１の特徴である、天板１２の係合部７２、前板１４の係合部４２、及び、連結板の係合部６０の係合状態を説明するための図である。図５は、図１の破線領域Vの拡大図であり、見易くするために、前板１４、及び、側板１８の一部を省略している。図６は、天板１２に前板１４を取り付けた状態（図５（ａ）の状態）の内部構造を前側から見た図である。なお、本体ケース１０の組立は、燃焼ケースと底板２２、及び、連結板と底板２２が、予め締結されている状態で実行される。
【００２１】
まず、天板１２に前板１４を取り付ける。天板１２への前板１４の取付は、天板１２及び前板１４を持ち上げている状態で行う。具体的には、天板１２の開口部７２ａに、前板１４の突出部４０が通過するように、前板１４を天板１２に対して位置決めし、前板１４の上端を天板１２の下端に沿って後方に摺動させる（図５（ａ））。前板１４は、前板１４の係合部４２の延伸部３８が天板１２の係合部７２に接触するまで、摺動させる。この結果、上下方向において、延伸部３８は、天板１２の下端と天板１２の支持部７２ｂに挟まれる（図６参照）。
【００２２】
次いで、底板２２に固定されている連結板に天板１２及び前板１４を取り付ける。まず、天板１２の下面と連結板の上面に隙間が形成されるように、前板１４及び天板１２を、連結板に対してわずかに持ち上げる。この状態で、前板１４の爪部３４が側板１８の挿入孔５８に挿入する位置、及び、前板の突出部４０が側板１８の開口部６０ａに挿入する位置に、前板１４及び天板１２の上下方向の位置を位置決めする。そして、前板１４及び天板１２を後方に移動させる。これにより、爪部３４が挿入孔５８を通過するとともに、突出部４０（詳細には、フック部４０ａ）が側板１８の係合部６０の開口部６０ａを通過する。その後、天板１２及び前板１４を下ろす。これにより、突出部４０が、係合部６０によって下方から支持される。この結果、天板１２の係合部７２、前板１４の係合部４２、及び、側板１８の係合部６０が係合し、天板１２、前板１４、及び、連結板が連結される。
【００２３】
上述のように、連結板は、底板２２に固定されており、その動作が制限されている。このため、図５（ｂ）の状態において、前板１４の前後方向、及び、左右方向の動きは、連結板の係合部６０によって制限される。また、天板１２の左右方向の動きは、前板１４の係合部４２によって制限される。
【００２４】
次いで、前板１４に嵌め込まれている吹出口１４ａのネジ穴４４にネジ部材を螺合し、前板１４を燃焼ケースにネジ止めする。燃焼ケースが底板２２に固定されているため、前板１４の上下方向の動きが制限される。また、天板１２の上下方向の動きも制限される。これにより、天板１２及び前板１４の、上下方向、前後方向、及び、左右方向の動きが制限される。すなわち、天板１２、前板１４、及び、連結板が固定される。
【００２５】
上述のように、天板１２の係合部７２、前板１４の係合部４２、及び、連結板の係合部６０を係合することで、天板１２、前板１４、及び、連結板を連結することができる。そして、吹出口１４ａが設けられている位置において、前板１４を、底板２２を介して連結板に予め固定されている燃焼ケースに固定することで、天板１２、前板１４、及び、連結板が固定される。上述のように、吹出口１４ａは、前板１４の下部に設けられており、前板１４の上部に比べて、ユーザから見えにくい場所である。従って、本体ケース１０の美観を損なうことなく、天板１２、前板１４、及び、連結板を固定することができる。
【００２６】
（対応関係）
天板１２、前板１４、背面板１６及び側板１８で構成される連結板がそれぞれ、「天板部材」、「前板部材」、「固定部材」の一例である。なお、底板２２に予め締結されている燃焼ケースと、連結板に予め締結されている底板２２も、「固定部材」に含まれる。天板１２の係合部７２、前板１４の係合部４２、側板１８の係合部６０が、それぞれ、「天板部材の係合部」、「前板部材の係合部」、「固定部材の係合部」の一例である。
【００２７】
（実施例２）
図７、図８を用いて、実施例２について説明する。以下では、本願の特徴である天板１２の係合部、前板１４の係合部、及び、側板１８の係合部について説明する。なお、図７、図８は、断面図のため、側板１８が表されていない。
【００２８】
図７に示すように、天板１２には、天板１２の下端から下方に延びる下方延伸部２７２と、下方延伸部２７２から前方に延びる前方延伸部２７４を有する係合部２７０が設けられている。下方延伸部２７２には、開口部２７６が設けられている。前板１４には、前板１４の上端から下方に延びる係合部２４０が設けられている。係合部２４０には、開口部２４２、２４４が設けられている。開口部２４４は、開口部２４２よりも下方に設けられている。また、連結板には、側板１８の上端から下方に延びる下方延伸部２６２と、下方延伸部２６２の下端から前方に延びる前方延伸部２６４と、前方延伸部２６４の前端から上方に延びる上方延伸部２６６と、を有する係合部２６０が設けられている。
【００２９】
図８を用いて、実施例２の天板１２、前板１４、及び、連結板の組み立て方法について説明する。連結板は、底板２２に締結済みである。まず、天板１２に、前板１４を取り付ける。天板１２への前板１４の取付は、天板１２及び前板１４を持ち上げている状態で行う。具体的には、前板１４の開口部２４２に、天板１２の前方延伸部２７４を挿入可能な位置に、前板１４を位置決めする。そして、前板１４を後方側に移動させる（図８（ａ））。
【００３０】
次いで、連結板の上方延伸部２６６が、天板１２の開口部２７６、及び、前板１４の開口部２４４を通過可能な位置に、天板１２及び前板１４を位置決めする。そして、天板１２の下方延伸部２７２と、連結板の下方延伸部２６２が接触するように、天板１２及び前板１４を後方に移動する。その後、天板１２及び前板１４を下方に移動する。これにより、天板１２、前板１４、及び、連結板が連結される。従って、ネジ部材を用いることなく、天板１２、前板１４、及び、側板１８を連結することができる。その後に、前板１４と底板２２を、ネジ部材によってネジ止めする（図８（ｂ））。これにより、天板１２及び前板１４の、上下方向、前後方向、及び、左右方向の動きが制限される。すなわち、天板１２、前板１４、及び、連結板が固定される。
【００３１】
（対応関係）
天板１２、前板１４、背面板１６及び側板１８で構成される連結板がそれぞれ、「天板部材」、「前板部材」、「固定部材」の一例である。なお、底板２２に予め締結されている燃焼ケースと、連結板に予め締結されている底板２２も、「固定部材」に含まれる。天板１２の係合部２７０、前板１４の係合部２４０、連結板の係合部２６０が、それぞれ、「天板部材の係合部」、「前板部材の係合部」、「固定部材の係合部」の一例である。
【００３２】
（実施例３）
図９、図１０を用いて、実施例３について説明する。以下では、本願の特徴である天板１２の係合部、前板１４の係合部、及び、側板１８の係合部について説明する。なお、図９、図１０は、断面図のため、側板１８が表されていない。
【００３３】
図９に示すように、天板１２には、天板１２の下端から下方に延びる第１の下方延伸部３７２と第２の下方延伸部３７４を有する係合部３７０が設けられている。第２の下方延伸部３７４は、天板１２の前端に設けられている。第１の下方延伸部３７２には、開口部３７６が設けられている。また、天板１２の後端には、下方に延びる背面板３８０が設けられている。前板１４には、前板１４の上端から下方に延びる係合部３４０が設けられている。係合部３４０は、前板１４の前端よりも後方側に設けられている。このため、天板１２の前端と前板１４の前端を位置合わせし、前板１４に天板１２を取り付けると、係合部３４０の上端は、第１の下方延伸部３７２と第２の下方延伸部３７４に挟まれる。係合部３４０には、開口部３７６と同じ大きさの開口部３４２が設けられている。連結板には、側板１８の上端から下方に延びる下方延伸部３６２と、下方延伸部３６２から前方に延びる前方延伸部３６４と、を有する係合部３６０が設けられている。
【００３４】
次いで、図１０を用いて、実施例３の天板１２、前板１４、及び、連結板の組み立て方法について説明する。連結板は、底板２２に締結済みである。まず、前板１４に、天板１２を取り付ける。前板１４への天板１２の取付は、天板１２及び前板１４を持ち上げている状態で行う。具体的には、前板１４の係合部３４０が、天板１２の第１の下方延伸部３７２と第２の下方延伸部３７４の間に位置するように、天板１２の前後方向の位置を位置決めする。そして、前板１４の開口部３４２と天板１２の開口部３７６の高さが同じになるように、天板１２を下げる（図１０（ａ））。
【００３５】
次いで、図１０（ｂ）に示すように、天板１２の後方側を上方向に傾ける。これにより、連結板が、天板１２の背面板３８０の下方を通過できるようになる。そして、天板１２の開口部３７６及び前板１４の開口部３４２に連結板の前方延伸部３６４を、連結板の前方延伸部３６４が通過できるように、天板１２及び前板１４を位置決めする。そして、天板１２の第１の下方延伸部３７２と連結板の下方延伸部３６２が接触するまで、天板１２及び前板１４を後方に移動させる（図１０（ｃ））。これにより、天板１２、前板１４、及び、連結板が連結される。その後に、背面板１６と天板１２を、ネジ部材によってネジ止めする（図１０（ｃ））。これにより、天板１２及び前板１４の、上下方向、前後方向、及び、左右方向の動きが制限される。すなわち、天板１２、前板１４、及び、連結板が固定される。
【００３６】
上記の構成によると、天板１２と連結板は、本体ケース１０の後面側で締結される。後面側は、前面側に比べて、ユーザから見えにくい場所である。従って、本体ケース１０の美観を損なうことなく、天板１２、前板１４、及び、連結板を固定することができる。
【００３７】
（対応関係）
天板１２、前板１４、背面板１６及び側板１８で構成される連結板がそれぞれ、「天板部材」、「前板部材」、「固定部材」の一例である。なお、底板２２に予め締結されている燃焼ケースと、連結板に予め締結されている底板２２も、「固定部材」に含まれる。天板１２の係合部３７０、前板１４の係合部３４０が、連結板の係合部３６０、それぞれ、「天板部材の係合部」、「前板部材の係合部」、「固定部材の係合部」の一例である。
【００３８】
（実施例４）
図１１〜図１９を用いて、実施例１の温風暖房機２と異なる点について説明する。図１１に示すように、実施例４では、図１１の破線領域XVの構造（詳細には、天板４１２及び側板４１８の構造）が、実施例１の温風暖房機２と異なる。また、図１７に示すように、実施例４の本体ケース１０内には、水受け部４８０が設けられている点が、実施例１と異なる。なお、実施例間で共通する構成については、同じ符号を付して説明を省略する。
【００３９】
図１２を参照して、背面板４１６と左右の側板４１８について説明する。背面板４１６は、実施例１の背面板１６と同様である。図１２に示すように、側板４１８の上部には、フランジ部４２０が設けられている。フランジ部４２０は、側板４１８の上端から本体ケース１０の内側（以下では、単に「内側」と呼ぶ）に向かって延び、さらに、その端部から上方に延びている。フランジ部４２０の上方に延びる部分には、切欠部４２２が設けられている。また、左側の側板４１８の係合部６０の下部には、後述する水受け部４８０の挿入部４９６を挿入可能な挿入孔４３０が設けられている。
【００４０】
図１３、図１４を参照して、天板４１２について説明する。図１４（ａ）は、図１３の破線領域XIVの拡大図であり、図１４（ｂ）は、破線領域XIVを下方から見た拡大図である。図１３に示すように、天板４１２は、天板４１２の内側に設けられる移動抑制部４４０を備えている。
【００４１】
図１４（ａ）に示すように、移動抑制部４４０は、４個の第１の突出部４４２と、側方延伸部４４４と、下方延伸部４４６と、凹部４４８と、２個の第２の突出部４５０と、を備えている。第１の突出部４４２は、天板４１２の側端から内側に向かって突出している。側方延伸部４４４は、第１の突出部４４２の上端の位置から内側に向かって延びている。下方延伸部４４６は、側方延伸部４４４の側端から下方に延びている。凹部４４８は、下方延伸部４４６の前後方向の中央領域に設けられている。第２の突出部４５０は、本体ケース１０の外側（以下では、単に「外側」と呼ぶ）に向かって突出している。図１４（ｂ）に示すように、第１の突出部４４２の内側の端部は、第２の突出部４５０の外側の端部よりも幅ｃだけ外側に設けられている。幅ｃは、側板４１８のフランジ部４２０の厚みよりも僅かに大きい。また、移動抑制部４４０は、凹部４４８の外側の面から突出する係止部４５２を備える。係止部４５２の前側の面は、左右方向と平行であり、後側の面は、左右方向に対して傾斜している。
【００４２】
続いて、図１５、図１６を参照して、天板４１２と連結板（背面板４１６及び左右の側板４１８）が連結されている状態について説明する。図１５は、図１１の破線領域XVの拡大図である。また、図１６は、図１５の破線XVIの断面図である。
【００４３】
図１５に示すように、側板４１８のフランジ部４２０が、第１の突出部４４２と第２の突出部４５０の間に配置される。また、図１６に示すように、天板４１２の係止部４５２が、側板４１８の切欠部４２２に挿入（嵌合）される。係止部４５２の前面は、側板４１８のフランジ部４２０の切欠部４２２を形成する面に接触している。このため、天板４１２と連結板が連結されている状態において、天板４１２が、連結板に対して、前方に移動することを抑制することができる。例えば、ユーザが、温風暖房機２を運んでいる際に、温風暖房機２を落下させてしまい、天板４１２に前方への力が加わったとしても、天板４１２が、連結板に対して、前方に移動しない。また、係止部４５２の後ろ側の面が左右方向に傾斜しているため、天板４１２を連結板から取り外す場合に、天板４１２を連結板に対して後側にスライドさせて、比較的容易に取り外すことができる。
【００４４】
続いて、図１７〜図１９を参照して、本体ケース１０の内側に設けられる水受け部４８０について説明する。
【００４５】
図１７に示すように、本体ケース１０の内部は、送風ファン（図示省略）とバーナ（図示省略）が収容されている燃焼ケース４６２が設けられている燃焼部品領域４６０と、送風ファン、バーナの動作を制御するための制御装置等の電装部品が主に配置されている電装部品領域４６４と、で構成される。燃焼部品領域４６０は、本体ケース１０内の右側に設けられており、電装部品領域４６４は、本体ケース１０内の左側に設けられている。水受け部４８０は、燃焼部品領域４６０と電装部品領域４６４を跨っている。
【００４６】
図１８に示すように、水受け部４８０には、平面部４８２と、凹部４８４と、が設けられている。平面部４８２の下端は、左右方向に平行な直線部４８２ａと、右下がりに傾斜している傾斜部４８２ｂと、で構成されている。凹部４８４は、平面部４８２の傾斜部４８２ｂから前下がりに延び、さらに、その端部から上方に延びる。また、水受け部４８０には、平面部４８２の右端から後方に延びる後方延伸部４８６と、後方延伸部４８６の下部において、その後端から右方向に延びる右方延伸部４８８と、後方延伸部４８６の後側において、下方に延びるフック部４９０と、が設けられている。右方延伸部４８８には、水受け部４８０を燃焼ケース４６２にネジ止めするためのネジ穴４８８ａが設けられている。フック部４９０は、燃焼ケース４６２の前面に設けられる挿入孔（図示省略）に挿入することができる。
【００４７】
図１９に示すように、水受け部４８０には、さらに、平面部４８２の左端から後方に延びる後方延伸部４９２と、その後端から左方向に延びる左方延伸部４９４と、左方延伸部４９４の左端から後方に延びるとともに、左方向に延びる挿入部４９６と、が設けられている。挿入部４９６は、左側の側板４１８の係合部６０の挿入孔４３０（図１３参照）に挿入することができる。
【００４８】
天板４１２と前板１４の隙間から本体ケース１０内に水が侵入する場合を例として、水受け部４８０の効果について説明する。電装部品領域４６４の上部に水が浸入する場合、水は、水受け部４８０の凹部４８４に落下する。上述のように、凹部４８４の底面は、右下がりに傾斜している。このため、凹部４８４に落下した水は、右方向に流れていく。図１７に示すように、水受け部４８０が燃焼ケース４６２に固定されている状態において、凹部４８４の右端は、燃焼部品領域４６０に配置される。従って、凹部４８４を通過した水は、燃焼部品領域４６０に落下する。これにより、天板４１２と前板１４の隙間から本体ケース１０内に水が侵入した場合でも、電装部品領域４６４に水が落下することを防止することができる。この結果、電装部品領域４６４に設けられている電装部品に水が掛かって、当該電子部品が故障することを防止することができる。
【００４９】
（対応関係）
天板４１２、背面板４１６及び側板４１８で構成される連結板がそれぞれ、「天板部材」、「固定部材」の一例である。側板４１８のフランジ部４２０に設けられる切欠部４２２、天板４１２の係止部４５２が、それぞれ、「第１嵌合部」、「第２嵌合部」の一例である。
【００５０】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００５１】
上記の各実施例に係る本体ケース１０の固定構造は、温風暖房機２への適用に限定されない。例えば、室外機の本体ケースの固定に適用することもできる。
【００５２】
上記の各実施例では、背面板１６及び側板１８が一体に成形されており、底板２２は、背面板１６及び側板１８とは、別体に成形されている。この構成に代えて、後板、側板、及び、底板が、一体に成形されていてもよい。この場合、底板を、側板及び後板に締結する必要が無くなり、本体ケース１０の固定に使用されるネジ部材の数を低減することができる。
【００５３】
後板、側板、及び、底板が、それぞれ、別体に成形されていてもよい。この場合、後板、側板、及び、底板のそれぞれを、例えば、かしめ等によって、連結すればよい。
【００５４】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５５】
２      ：温風暖房機
１０    ：本体ケース
１２    ：天板
１４    ：前板
１４ａ  ：吹出口
１６    ：背面板
１８    ：側板
２２    ：底板
３０    ：フランジ部
３２    ：フランジ部
３４    ：爪部
３８    ：延伸部
４０    ：突出部
４０ａ  ：フック部
４２    ：係合部
４４    ：ネジ穴
５２    ：フランジ部
５４    ：フランジ部
５６    ：フランジ部
５８    ：挿入孔
６０    ：係合部
６０ａ  ：開口部
７０    ：突出部
７２    ：係合部
７２ａ  ：開口部
７２ｂ  ：支持部
２４０  ：係合部
２４２  ：開口部
２４４  ：開口部
２６０  ：係合部
２６２  ：下方延伸部
２６４  ：前方延伸部
２６６  ：上方延伸部
２７０  ：係合部
２７２  ：下方延伸部
２７４  ：前方延伸部
２７６  ：開口部
３４０  ：係合部
３４２  ：開口部
３６０  ：係合部
３６２  ：下方延伸部
３６４  ：前方延伸部
３７０  ：係合部
３７２  ：第１の下方延伸部
３７４  ：第２の下方延伸部
３７６  ：開口部
３８０  ：背面板
４１２  ：天板
４１６  ：背面板
４１８  ：側板
４２０  ：フランジ部
４２２  ：切欠部
４３０  ：挿入孔
４４０  ：移動抑制部
４４２  ：第１の突出部
４４４  ：側方延伸部
４４６  ：下方延伸部
４４８  ：凹部
４５０  ：第２の突出部
４５２  ：係止部
４６０  ：燃焼部品領域
４６２  ：燃焼ケース
４６４  ：電装部品領域
４８０  ：水受け部
４８２  ：平面部
４８２ａ：直線部
４８２ｂ：傾斜部
４８４  ：凹部
４８６  ：後方延伸部
４８８  ：右方延伸部
４８８ａ：ネジ穴
４９０  ：フック部
４９２  ：後方延伸部
４９４  ：左方延伸部
４９６  ：挿入部
【図１】
2018080906.tif 000003
【図２】
2018080906.tif 000004
【図３】
2018080906.tif 000005
【図４】
2018080906.tif 000006
【図５】
2018080906.tif 000007
【図６】
2018080906.tif 000008
【図７】
2018080906.tif 000009
【図８】
2018080906.tif 000010
【図９】
2018080906.tif 000011
【図１０】
2018080906.tif 000012
【図１１】
2018080906.tif 000013
【図１２】
2018080906.tif 000014
【図１３】
2018080906.tif 000015
【図１４】
2018080906.tif 000016
【図１５】
2018080906.tif 000017
【図１６】
2018080906.tif 000018
【図１７】
2018080906.tif 000019
【図１８】
2018080906.tif 000020
【図１９】
2018080906.tif 000021